(57)【要約】【課題】利用者がスイッチ操作を行うと発光し、又は警報音が発生することにより、周囲に注意を喚起する注意喚起装置において、本体部を対象物に対してそれ自体のみで着脱する。【解決手段】発光又は警報音の発生により、周囲に注意を喚起する注意喚起装置１において、電源を内蔵した本体部２と、この本体部２に取り付けられた発光部３と、該本体部２に取り付けられた警報音発生部４と、上記本体部２の外面から操作可能に設けられ上記発光部３及び警報音発生部４の作動を制御するスイッチ５と、上記本体部２を対象物に対してそれ自体のみで着脱可能とする取り付け手段６と、を備えた。これにより、上記注意喚起装置１を対象物に対して着脱することができる。【選択図】　図１
2004030072.tif 000002
【特許請求の範囲】
【請求項１】
発光又は警報音の発生により、周囲に注意を喚起する注意喚起装置において、
電源を内蔵した本体部と、この本体部に取り付けられた発光部と、該本体部に取り付けられた警報音発生部と、上記本体部の外面から操作可能に設けられ上記発光部及び警報音発生部の作動を制御するスイッチと、上記本体部を対象物に対してそれ自体のみで着脱可能とする取り付け手段と、を備えたことを特徴とする注意喚起装置。
【請求項２】
上記本体部は、箱型の形状としたことを特徴とする請求項１記載の注意喚起装置。
【請求項３】
上記本体部は、複数枚の曲折し得るシート部材を組み合わせて成り、自在に曲折し得ることを特徴とする請求項１記載の注意喚起装置。
【請求項４】
上記取り付け手段は、対象物の任意箇所に対して弾性力を利用して止める部材としたことを特徴とする請求項１又は２記載の注意喚起装置。
【請求項５】
上記取り付け手段は、面ファスナを利用したものであることを特徴とする請求項１〜３のいずれか１項に記載の注意喚起装置。
【発明の詳細な説明】
【０００１】
【発明の属する技術分野】
本発明は、利用者がスイッチ操作を行うと発光し、又は警報音が発生することにより、周囲に注意を喚起する注意喚起装置に関し、特に、本体部を対象物に対してそれ自体のみで着脱することができる注意喚起装置に関する。
【０００２】
【従来の技術】
一般に、障害者や高齢者、負傷者等の歩行が困難な者は、歩行の補助として杖を用いることがあるが、例えば夜間にそのような者が外出するときにおける交通事故の防止が要求されている。そこで、歩行者の存在を周囲に知らせて歩行の安全性を確保するため、光や音声等を発する手段を備えた杖に関する技術が従来から提案されており、そのような例として、特開２００１−１６１４１８号公報記載のものがある。
【０００３】
また、夜間に、交通取り締まりを行う警察官や交通整理を行う誘導員等は、自分の存在を周囲に知らせて作業の安全性を確保するために、例えばＶ字状の反射部を前身ごろに備えた反射チョッキを着用することがある。このような反射チョッキに関する技術の例として、特開２００１−８９９０８号公報記載のものがある。
【０００４】
【発明が解決しようとする課題】
しかし、上記第一の例による杖においては、歩行者の存在を周囲に知らせる発光手段が杖に作り付けられており、上記発光手段が杖に対して着脱可能となっていなかった。したがって、例えば昼間時のように発光手段を必要としない場合にも、上記杖から発光手段を取り外して使用することができなかった。また、上記発光手段を備えておらず、歩行者の存在を周囲に知らせることができない杖を所持する者が、夜間に歩行するときの安全性を確保するためには、上記発光手段が作り付けられている杖を別に用意しなければならなかった。
【０００５】
また、上記第二の例による反射チョッキは、使用する者の上半身に着用するものであり、身体のそれ以外の部位には着用することができなかった。また、例えば上記反射チョッキを着用している者の上半身が物陰に隠れた場合には、自分の存在を周囲に知らせることができず、作業の安全性を十分に図ることができないことがあった。
【０００６】
そこで、本発明は、このような問題点に対処し、本体部を対象物に対してそれ自体のみで着脱することができる注意喚起装置を提供することを目的とする。
【０００７】
【課題を解決するための手段】
上記目的を達成するために、本発明による注意喚起装置は、発光又は警報音の発生により、周囲に注意を喚起する注意喚起装置において、電源を内蔵した本体部と、この本体部に取り付けられた発光部と、該本体部に取り付けられた警報音発生部と、上記本体部の外面から操作可能に設けられ上記発光部及び警報音発生部の作動を制御するスイッチと、上記本体部を対象物に対してそれ自体のみで着脱可能とする取り付け手段と、を備えたものである。
【０００８】
このような構成により、上記本体部に設けられた取り付け手段によって、該本体部が対象物に対してそれ自体のみで着脱され、また電源を内蔵した本体部の外面から操作可能に設けられたスイッチによって、該本体部に取り付けられた発光部及び警報音発生部の作動が制御される。
【０００９】
また、上記本体部は、箱型の形状としたものである。これにより、箱型の本体部内に、発光部及び警報音発生部、電源がコンパクトに収納される。
【００１０】
また、上記本体部は、複数枚の曲折し得るシート部材を組み合わせて成り、自在に曲折し得るものである。これにより、上記本体部が対象物の形状に応じて自在に曲折する。
【００１１】
さらに、上記取り付け手段は、対象物の任意箇所に対して弾性力を利用して止める部材としたものである。これにより、上記弾性力を利用して止める部材によって、上記本体部が対象物の任意箇所に対してそれ自体のみで着脱可能となる。
【００１２】
そして、上記取り付け手段は、面ファスナを利用したものでもよい。これにより、上記面ファスナによって、上記本体部が対象物の任意箇所に対してそれ自体のみで着脱可能となる。
【００１３】
【発明の実施の形態】
以下、本発明の実施の形態を添付図面に基づいて詳細に説明する。
図１は本発明による注意喚起装置の第一の実施形態を示す斜視図である。この注意喚起装置１は、利用者がスイッチ操作を行うと発光し、又は警報音が発生することにより、周囲に注意を喚起してその存在を知らせ、利用者の安全性を確保するもので、本体部２と、発光部３と、警報音発生部４と、スイッチ５と、取り付け手段６とを備えて成る。
【００１４】
上記本体部２は、後述の発光部３及び警報音発生部４、スイッチ５を取り付けるもので、その内部に電源７（図２参照）が内蔵され、例えばアルミニウム等の軽量金属又はプラスチックから成り、図１に示す箱型の形状を有している。
【００１５】
また、上記本体部２に取り付けられた発光部３は、電流が流れると発光するもので、例えば発光ダイオード（ＬＥＤ）等の発光素子から成り、図２に示す一のスイッチ５ａを開閉操作することにより、電源７からの電力供給がオン、オフ制御されるようになっている。ここで、図２に示す電気回路には、例えば２個の発光部３，３が組み込まれており、上記スイッチ５ａを閉じると上記２個の発光部３，３が交互に点滅するようになっている。これにより、例えば夜間においても、周囲に注意を喚起することができる。なお、図２においては、上記電気回路は２個の発光部３を備え、それが交互に点滅するものとしたが、これに限られず、例えば３個以上の発光部３を設け、これらを順次に点滅させても、同時に点灯、消灯させてもよい。
【００１６】
また、上記本体部２には、警報音発生部４が取り付けられている。この警報音発生部４は、電流が流れると警報音を発生するもので、図２に示す他のスイッチ５ｂを開閉操作することにより、電源７からの電力供給がオン、オフ制御されるようになっている。これにより、上記スイッチ５ｂを閉じると警報音発生部４が鳴動し、周囲に注意を喚起することができる。なお、図２に示す電気回路に設けられたスイッチ５ａ及びスイッチ５ｂは、図１に示すように、例えば一個の３点スイッチ５を用いて構成することができる。また、図２において、符号Ｒは抵抗を示し、符号Ｃはコンデンサを示し、符号ＴＲはトランジスタを示している。
【００１７】
そして、以上のように構成された箱型の形状の本体部２には、図１に示すように、取り付け手段６が設けられている。この取り付け手段６は、上記本体部２を対象物に対してそれ自体のみで着脱可能とするもので、該対象物の任意箇所に対して弾性力を利用して止める部材から成るものである。例えば図３（ａ）に示すように、所定の太さを有する棒状体８に適合するような形状、例えばＣ字形の形状を有し、その先端側が弾性的に開閉するようになっている。
【００１８】
これにより、図３（ｂ）に示すように、上記本体部２に設けられた取り付け手段６の弾性力によって、上記棒状体８を挟持して、上記本体部２を棒状体８に対してそれ自体のみで着脱可能に取り付けることができる。したがって、例えば、使い慣れた通常の杖に対して、上記注意喚起装置１を取り付けることにより、夜間に杖を用いて歩行する歩行者の存在を周囲に知らせることができ、歩行時の安全性を確保することができる。また、上記注意喚起装置１を必要としない場合には、それを杖から取り外すことができる。
【００１９】
なお、上記の説明においては、上記注意喚起装置１を杖に取り付けるものとしたが、これに限られず、例えば車椅子の脚部等の棒状体に取り付けてもよい。これにより、障害者や高齢者、負傷者等の歩行が困難な者が車椅子を用いるときにおいて、上記注意喚起装置１によって周囲に注意を喚起することができ、事故を未然に防止することができる。
【００２０】
図４は本発明による注意喚起装置の第二の実施形態を示す斜視図である。この実施形態による注意喚起装置１０は、柔らかに曲折し得る本体部１１と、上記第一の実施形態によるものと同様の発光部３及び警報音発生部４と、スイッチ５と、取り付け手段（１３，１４）とを備えてなる。
【００２１】
上記注意喚起装置１０の本体部１１は、上記発光部３及び警報音発生部４を取り付けると共に、例えば押しボタン型のスイッチ５′を取り付けるもので、その内部に電源７（図２参照）が内蔵されており、例えばビニル樹脂等の耐久性の高い材質から成る複数枚の矩形のシート部材１２ａ，１２ｂによって構成され、上面側のシート部材１２ａには、複数個の鳩目が並べて取り付けられている。
【００２２】
そして、上記複数枚のシート部材１２ａ，１２ｂの間には、上記電源７に接続された発光部３及び警報音発生部４が収容されており、上記発光部３は、上面側のシート部材１２ａに取り付けられた鳩目にそれぞれ嵌合して固定されており、また上記警報音発生部４は、上記上面側のシート部材１２ａの内側に埋め込んで取り付けられている。さらに、上記上面側のシート部材１２ａには、その外面から操作可能な押しボタン型のスイッチ５′が取り付けられている。そして、上記２枚のシート部材１２ａ，１２ｂの外周縁は、貼り合わせて固定されている。これにより、上記注意喚起装置１０は、図４（ｂ）に示すように、発光又は警報音発生の機能を発揮し得る状態で、本体部１１が柔らかに曲折することができる。
【００２３】
そして、以上のように構成された柔らかに曲折し得る本体部１１には、例えば図４（ａ）に示すように、取り付け手段（１３，１４）が設けられている。この取り付け手段は、上記本体部１１を対象物に対してそれ自体のみで着脱可能とするもので、一対の面ファスナ１３，１４を利用したものである。すなわち、上記曲折し得る本体部１１を構成する上面側のシート部材１２ａの一端側には、多数のフック部を表面上に備えた雄型の面ファスナ１３が設けられ、また下面側のシート部材１２ｂの他端側には、上記フック部に係合可能な多数のパイル部を表面上に備えた雌型の面ファスナ１４が設けられている。
【００２４】
これにより、上記本体部１１を、図４（ｃ）に示すように、棒状体８に巻き付け、上記雄型の面ファスナ１３と雌型の面ファスナ１４とを係合して貼り合わすことにより、上記注意喚起装置１０を棒状体８に巻き付けて着脱可能に固定することができる。したがって、使い慣れた通常の杖に対して、上記注意喚起装置１０を取り付けることができ、杖を用いて歩行する歩行者の安全性を確保することができる。また、上記注意喚起装置１０を必要としない場合には、それを杖から取り外すことができる。
【００２５】
なお、上記の説明において、上記取り付け手段（１３，１４）は、上面側のシート部材１２ａの一端側、及び下面側のシート部材１２ｂの他端側に設けられたものとしたが、これに限られず、例えば図５（ａ）に示すように、多数のフック部を表面上に備えた雄型の面ファスナ１３を上記本体部１１の下面全面に設け、また図５（ｂ）に示すように、多数のパイル部を表面上に備えた雌型の面ファスナ１４を棒状体８に巻き付けた状態で設けてもよい。これにより、図５（ｃ）に示すように、上記注意喚起装置１０を棒状体８に巻き付けて固定することができる。
【００２６】
また、上記の説明において、本体部１１の形状は、複数枚の矩形のシート部材１２ａ，１２ｂを重ねて構成されたものとして説明したが、これに限られず、取り付けの対象物に適合した形状とすればよい。例えば図６に示すように、２枚の帯状のシート部材１５ａ，１５ｂを重ねて構成し、上面側のシート部材１５ａの一端側に雄型の面ファスナ１３を取り付け、また下面側のシート部材１５ｂの他端側に雌型の面ファスナ１４を取り付けてもよい。これにより、図７に示すように、注意喚起装置１０を例えば身体の上半身や手首、足首に巻き付け、上記雄型の面ファスナ１３と雌型の面ファスナ１４とを係合して貼り合わすことができる。これにより、所望の部位に注意喚起装置１０を着脱することができ、自分の存在を周囲に知らせることができる。
【００２７】
【発明の効果】
本発明は以上のように構成されたので、請求項１に係る発明によれば、上記本体部に設けられた取り付け手段によって、該本体部を対象物に対してそれ自体のみで着脱し、また電源を内蔵した本体部の外面から操作可能に設けられたスイッチによって、該本体部に取り付けられた発光部及び警報音発生部の作動を制御することができる。したがって、上記注意喚起装置を対象物に容易に取り付けて自分の存在を周囲に知らせることができ、例えば夜間の歩行や作業等の安全性を確保することができる。また、上記注意喚起装置を必要としない場合には、容易に取り外すことができる。
【００２８】
また、請求項２に係る発明によれば、上記本体部は、箱型の形状としたものであることにより、箱型の本体部内に、発光部及び警報音発生部、電源をコンパクトに収納することができる。したがって、注意喚起装置を対象物に取り付けたときに、上記箱型の形状を有する本体部が使用者の妨げにならない。
【００２９】
また、請求項３に係る発明によれば、上記本体部は、複数枚の曲折し得るシート部材を組み合わせて成り、自在に曲折し得るものであることにより、上記本体部を対象物の形状に応じて自在に曲折することができる。したがって、上記注意喚起装置を対象物の任意箇所に対して巻き付けて固定することができる。
【００３０】
さらに、請求項４に係る発明によれば、上記取り付け手段は、対象物の任意箇所に対して弾性力を利用して止める部材としたものであることにより、上記弾性力を利用して止める部材によって、上記本体部を対象物の任意箇所に対してそれ自体のみで着脱することができる。したがって、例えば、使い慣れた通常の杖に対しても、上記注意喚起装置を取り付けることができるため、夜間に杖を用いて歩行する者の存在を周囲に知らせ、歩行時の安全性を確保することができる。
【００３１】
そして、請求項５に係る発明によれば、上記本体部を対象物に対してそれ自体のみで着脱可能とする取り付け手段は、面ファスナを利用したものであることにより、上記面ファスナによって、上記本体部を対象物の任意箇所に対してそれ自体のみで着脱することができる。したがって、所望の部位に注意喚起装置を着脱することができ、自分の存在を周囲に知らせることができる。
【図面の簡単な説明】
【図１】本発明による注意喚起装置の第一の実施形態を示す斜視図である。
【図２】上記注意喚起装置の電気回路を示す回路図である。
【図３】第一の実施形態による注意喚起装置の使用例を示す説明図である。
【図４】上記注意喚起装置の第二の実施形態を示す斜視図である。
【図５】第二の実施形態による注意喚起装置の使用例を示す説明図である。
【図６】第二の実施形態による注意喚起装置の他の例を示す斜視図である。
【図７】上記他の例による注意喚起装置の使用例を示す説明図である。
【符号の説明】
１，１０…注意喚起装置
２，１１…本体部
３…発光部
４…警報音発生部
５，５′…スイッチ
６…取り付け手段
７…電源
８…棒状体
１２，１５…シート部材
１３，１４…面ファスナ
【図１】
2004030072.tif 000003
【図２】
2004030072.tif 000004
【図３】
2004030072.tif 000005
【図４】
2004030072.tif 000006
【図５】
2004030072.tif 000007
【図６】
2004030072.tif 000008
【図７】
2004030072.tif 000009